【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】
映像コンテンツ毎に、該映像コンテンツの映像コンテンツ識別情報と映像構造情報を格納する映像コンテンツ情報データベースと、
ユーザ識別情報、映像コンテンツ識別情報及び、映像構造情報を格納するユーザ情報データベースと、
映像コンテンツの場面を特定する場面情報として物理的、あるいは、意味的な区切りである映像構造情報を指定する場面指定手段と、
上記場面指定手段からの指定に基づいて、映像コンテンツの視聴者のユーザ識別情報、映像コンテンツ識別情報及び指定された映像構造情報を上記映像コンテンツ情報データベースから取得し、上記ユーザ情報データベースに格納するユーザ入力制御手段と、
上記ユーザ入力制御手段からの上記映像コンテンツ識別情報、及び、上記指定された映像情報に基づいて、上記ユーザ情報データベースから、上記映像コンテンツ識別情報及び上記映像構造情報と同じ映像コンテンツ識別情報及び同じ映像構造情報に関連付けられている別のユーザ識別情報を取得し、上記ユーザ情報データベースから該別のユーザ識別情報に対応するユーザ情報を取得するユーザ情報検索手段と、
上記ユーザ情報検索手段から上記ユーザ情報を受け、映像コンテンツの視聴者へ提示するユーザ情報提示手段と、
を有する、映像コンテンツ視聴者情報提供システム。
【請求項２】
映像コンテンツ毎に、該映像コンテンツの映像コンテンツ識別情報と映像構造情報を格納する映像コンテンツ情報データベースと、
ユーザ識別情報、映像コンテンツの特定の場面に関連付けられた付加情報、映像コンテンツ識別情報及び、映像構造情報を格納するユーザ情報データベースと、
映像コンテンツの場面を特定する場面情報として物理的、あるいは、意味的な区切りである映像構造情報を指定する場面指定手段と、
上記場面指定手段からの指定に基づいて、映像コンテンツの視聴者のユーザ識別情報、映像コンテンツ識別情報及び指定された映像構造情報を上記映像コンテンツ情報データベースから取得し、また、映像コンテンツの特定の場面に対する付加情報をユーザから取得して、上記ユーザ情報データベースに格納するユーザ入力制御手段と、
上記ユーザ入力制御手段からの上記映像コンテンツ識別情報、及び、上記指定された映像情報に基づいて、上記ユーザ情報データベースから、上記映像コンテンツ識別情報、及び上記映像構造情報と同じ映像コンテンツ識別情報及び同じ映像構造情報に関連付けられている別のユーザ識別情報を取得し、上記ユーザ情報データベースから該別のユーザ識別情報に対応する上記映像コンテンツの特定の場面に対する付加情報を含むユーザ情報を取得するユーザ情報検索手段と、
上記ユーザ情報検索手段から上記ユーザ情報を受け、映像コンテンツの視聴者へ提示するユーザ情報提示手段と、
を有する、映像コンテンツ視聴者情報提供システム。
【請求項３】
映像コンテンツの視聴者のユーザ識別情報、映像コンテンツ識別情報及び時間情報を格納するユーザ情報データベースと、
映像コンテンツの場面を特定する場面指定情報として時間情報を指定する場面指定手段と、
映像コンテンツ毎に、その映像コンテンツの映像コンテンツ識別情報、映像コンテンツの意味的な区切りである映像構造情報、及び、映像構造情報に対応した時間的な区間を表す時間区間情報を格納する映像コンテンツ情報データベースと、
上記場面指定手段からの指定に基づいて、映像コンテンツの視聴者のユーザ識別情報、映像コンテンツ識別情報及び指定された時間情報を受け、上記映像コンテンツ情報データベースから、上記映像コンテンツ識別情報及び上記指定された時間情報に対応した時間区間情報を獲得し、上記映像コンテンツの視聴者のユーザ識別情報、上記映像コンテンツ識別情報及び上記指定された時間情報を上記ユーザ情報データベースに格納するユーザ入力制御手段と、
上記ユーザ入力制御手段からの上記映像コンテンツ識別情報、及び、上記時間情報区間に基づいて、上記ユーザ情報データベースから、上記映像コンテンツ識別情報と同じ映像識別情報に対し上記時間情報区間に含まれる時間情報が関連付けられている別のユーザ識別情報を取得し、該別のユーザ識別情報に基づいて該ユーザ情報データベースからユーザ情報を取得するユーザ情報検索手段と、
上記ユーザ情報検索手段から上記ユーザ情報を受け、映像コンテンツの視聴者へ提示するユーザ情報提示手段と、
を有する、映像コンテンツ視聴者情報提供システム。
【請求項４】
映像コンテンツの特定の場面に対する付加情報、映像コンテンツの視聴者のユーザ識別情報、映像コンテンツ識別情報及び時間情報を格納するユーザ情報データベースと、
映像コンテンツの場面を特定する場面指定情報として時間情報を指定する場面指定手段と、
映像コンテンツ毎に、その映像コンテンツの映像コンテンツ識別情報、映像コンテンツの意味的な区切りである映像構造情報、及び、映像構造情報に対応した時間的な区間を表す時間区間情報を格納する映像コンテンツ情報データベースと、
上記場面指定手段から、映像コンテンツの視聴者のユーザ識別情報、映像コンテンツ識別情報及び指定された時間情報を受け、上記映像コンテンツ情報データベースから、上記映像コンテンツ識別情報及び上記指定された時間情報に対応した時間区間情報を獲得し、また、ユーザから映像コンテンツの特定の場面に対する付加情報を取得し、該付加情報、上記映像コンテンツの視聴者のユーザ識別情報、上記映像コンテンツ識別情報及び上記指定された時間情報をユーザ情報データベースに格納するユーザ入力制御手段と、
上記ユーザ入力制御手段からの上記映像コンテンツ識別情報、及び、上記時間情報区間に基づいて、上記ユーザ情報データベースから、上記映像コンテンツ識別情報と同じ映像識別情報に対し上記時間情報区間に含まれる時間情報が関連付けられている別のユーザ識別情報を取得し、該別のユーザ識別情報に基づいて該ユーザ情報データベースから上記映像コンテンツの特定の場面に対する付加情報を含むユーザ情報を取得するユーザ情報検索手段と、
上記ユーザ情報検索手段から上記ユーザ情報を受け、映像コンテンツの視聴者へ提示するユーザ情報提示手段と、
を有する、映像コンテンツ視聴者情報提供システム。
【請求項５】
映像コンテンツの視聴者のユーザ識別情報、映像コンテンツ識別情報、及び、映像コンテンツの特定の場面を現す意味的な区切りである映像構造情報を受けるユーザ入力制御手段と、
上記ユーザ入力制御手段からの上記映像コンテンツの視聴者のユーザ識別情報、上記映像コンテンツ識別情報、及び、上記映像構造情報を格納するユーザ情報データベースと、
上記ユーザ入力制御手段からの上記映像コンテンツ識別情報、及び、上記映像構造情報に基づいて、上記ユーザ情報データベースから、上記映像コンテンツ識別情報及び上記映像構造情報と同じ映像コンテンツ識別情報及び同じ映像構造情報に関連付けられている別のユーザ識別情報を取得し、ユーザ情報を取得するユーザ情報検索手段と、
上記ユーザ情報検索手段からユーザ情報を受け、映像コンテンツの視聴者へ提示するユーザ情報提示手段と、
を有する、映像コンテンツ視聴者情報提供装置。
【請求項６】
映像コンテンツ毎に、その映像コンテンツの映像コンテンツ識別情報、映像コンテンツの意味的な区切りである映像構造情報、及び、映像構造情報に対応した時間的な区間を表す時間区間情報を格納する映像コンテンツ情報データベースを更に有し、
上記ユーザ情報データベースは、映像構造情報に対応した時間区間情報を映像コンテンツ識別情報及び映像構造情報と共に格納し、
上記ユーザ入力制御手段は、上記映像構造情報に対応する時間区間情報を上記映像情報データベースから獲得し、上記ユーザ情報データベースへ渡し、
上記ユーザ情報検索手段は、上記ユーザ入力制御手段からの上記映像コンテンツ識別情報及び上記指定された映像構造情報に対応した時間区間情報に基づいて、上記ユーザ情報データベースから、上記映像コンテンツ識別情報と同じ映像コンテンツ識別情報、及び、上記映像構造情報に対応した時間区間情報と類似している時間区間情報に関連付けられている別のユーザ識別情報を取得し、ユーザ情報を生成する、
請求項５記載の映像コンテンツ視聴者情報提供装置。
【請求項７】
上記ユーザ入力制御手段は、映像コンテンツの特定の場面に関連付けられた付加情報を受け、
上記ユーザ情報データベースは、上記ユーザ識別情報、上記映像コンテンツ識別情報及び上記映像構造情報と共に、上記ユーザ入力制御手段からの上記付加情報を格納し、
上記ユーザ情報検索手段は、上記付加情報を利用して上記ユーザ情報に順序を付ける、
請求項５又は６記載の映像コンテンツ視聴者情報提供装置。
【請求項８】
上記ユーザ情報検索手段は、
上記別のユーザ識別情報を取得する手段と、
上記ユーザ入力制御手段からの上記ユーザ識別情報に対応させて上記ユーザ情報データベースに格納されている映像コンテンツ識別情報及び映像構造情報に対し、上記別のユーザ識別情報に対応させて上記ユーザ情報データベースに格納されている映像コンテンツ識別情報及び映像構造情報の中から、映像コンテンツ識別情報及び映像構造情報が一致した映像コンテンツ及び時間情報を割り当てる手段と、
上記別のユーザ識別情報の中から、上記ユーザ識別情報の映像コンテンツ識別情報及び映像構造情報に割り当てられた度合いに応じて別のユーザ識別情報をユーザ情報として取得する手段と、
により構成される、請求項５乃至７のうちいずれか一項記載の映像コンテンツ視聴者情報提供装置。
【請求項９】
上記ユーザ入力制御手段は、映像コンテンツの特定の場面に関連付けられた付加情報を受け、
上記ユーザ情報データベースは、上記ユーザ識別情報、上記映像コンテンツ識別情報及び上記映像構造情報と共に、上記ユーザ入力制御手段からの上記付加情報を格納し、
上記ユーザ情報検索手段は、上記付加情報を利用して上記ユーザ情報に順序を付ける、
請求項８記載の映像コンテンツ視聴者情報提供装置。
【請求項１０】
映像コンテンツの視聴者のユーザ識別情報、映像コンテンツ識別情報、映像コンテンツの特定の場面を現す意味的な区切りである映像構造情報、及び、映像コンテンツの特定の場面の付加情報を受けるユーザ、入力制御手段と、
上記ユーザ入力制御手段からの上記映像コンテンツの視聴者のユーザ識別情報、上記映像コンテンツ識別情報、及び、上記映像構造情報と上記映像コンテンツの特定の場面の付加情報を格納するユーザ情報データベースと、
上記ユーザ入力制御手段からの上記映像コンテンツ識別情報、及び、上記映像構造情報に基づいて、上記ユーザ情報データベースから、上記映像コンテンツ識別情報及び上記映像構造情報と同じ映像コンテンツ識別情報及び同じ映像構造情報に関連付けられている別のユーザ識別情報を取得し、映像コンテンツの特定の場面の付加情報を含むユーザ情報を取得するユーザ情報検索手段と、
上記ユーザ情報検索手段からユーザ情報を受け、映像コンテンツの視聴者へ提示するユーザ情報提示手段と、
を有する、映像コンテンツ視聴者情報提供装置。
【請求項１１】
映像コンテンツ毎に、その映像コンテンツの映像コンテンツ識別情報、映像コンテンツの意味的な区切りである映像構造情報、及び、映像構造情報に対応した時間的な区間を表す時間区間情報を格納する映像コンテンツ情報データベースと、
映像コンテンツの視聴者のユーザ識別情報、映像コンテンツ識別情報及び映像コンテンツの特定の場面を指定する場面指定情報としての時間情報を受け、上記映像コンテンツ情報データベースから、上記映像コンテンツ識別情報及び上記時間情報に対応した時間区間情報を獲得するユーザ入力制御手段と、
上記ユーザ入力制御手段からの上記映像コンテンツの視聴者のユーザ識別情報、上記映像コンテンツ識別情報及び上記時間情報を格納するユーザ情報データベースと、
上記ユーザ入力制御手段からの上記映像コンテンツ識別情報、及び、上記時間情報区間に基づいて、上記ユーザ情報データベースから、上記映像コンテンツ識別情報と同じ映像コンテンツ識別情報に対し上記時間情報区間に含まれる時間情報が関連付けられている別のユーザ識別情報を取得し、ユーザ情報を取得するユーザ情報検索手段と、
上記ユーザ情報検索手段からユーザ情報を受け、映像コンテンツの視聴者へ提示するユーザ情報提示手段と
を有する、映像コンテンツ視聴者情報提供装置。
【請求項１２】
上記ユーザ情報検索手段は、
上記ユーザ入力制御手段から、上記映像コンテンツ識別情報、及び、上記時間情報区間の他に上記時間情報区間に対応した映像構造情報を受け取る手段と、
上記映像コンテンツ情報データベースから、上記ユーザ入力制御手段より受け取った映像構造情報に対応した時間情報区間よりも広い更なる時間情報区間に対応した更なる映像構造情報及び上記更なる時間情報区間を取得する手段と、
上記ユーザ入力制御手段からの上記映像コンテンツ識別情報、及び、上記更なる時間情報区間に基づいて、上記ユーザ情報データベースから、上記映像コンテンツ識別情報と同じ映像コンテンツ識別情報に対し上記更なる時間情報区間に含まれる時間情報が関連付けられている別のユーザ識別情報を取得し、ユーザ情報を取得する手段と、
を含む、請求項１１記載の映像コンテンツ視聴者情報提供装置。
【請求項１３】
上記ユーザ入力制御手段は、映像コンテンツの特定の場面に関連付けられた付加情報を受け、
上記ユーザ情報データベースは、上記ユーザ識別情報、上記映像コンテンツ識別情報及び上記時間情報と共に、上記ユーザ入力制御手段からの上記付加情報を格納し、
上記ユーザ情報検索手段は、上記付加情報を利用して上記ユーザ情報に順序を付ける、
請求項１１又は１２記載の映像コンテンツ視聴者情報提供装置。
【請求項１４】
上記ユーザ情報検索手段は、
上記別のユーザ識別情報を取得する手段と、
上記ユーザ入力制御手段からの上記ユーザ識別情報に対応させて上記ユーザ情報データベースに格納されている映像コンテンツ識別情報及び時間情報に対応した時間情報区間を取得する手段と、
上記ユーザ識別情報に対応した映像コンテンツ識別情報及び時間情報区間に対し、上記ユーザ情報データベースから、上記映像コンテンツ識別情報と同じ映像コンテンツ識別情報に対し上記時間情報区間に含まれる時間情報が関連付けられている別のユーザ識別情報を割り当てる手段と、
上記別のユーザ識別情報の中から、上記ユーザ識別情報の映像コンテンツ識別情報及び時間情報区間に割り当てられた度合いに応じて別のユーザ識別情報をユーザ情報として取得する手段と、
により構成される、請求項１１乃至１２のうちいずれか一項記載の映像コンテンツ視聴者情報提供装置。
【請求項１５】
上記ユーザ入力制御手段は、映像コンテンツの特定の場面に関連付けられた付加情報を受け、
上記ユーザ情報データベースは、上記ユーザ識別情報、上記映像コンテンツ識別情報及び上記時間情報と共に、上記ユーザ入力制御手段からの上記付加情報を格納し、
上記ユーザ情報検索手段は、上記付加情報を利用して上記ユーザ情報に順序を付ける、
請求項１１乃至１３のうちいずれか一項記載の映像コンテンツ視聴者情報提供装置。
【請求項１６】
映像コンテンツ毎に、その映像コンテンツの映像コンテンツ識別情報、映像コンテンツの意味的な区切りである映像構造情報、及び、映像構造情報に対応した時間的な区間を表す時間区間情報を格納する映像コンテンツ情報データベースと、
映像コンテンツの視聴者のユーザ識別情報、映像コンテンツ識別情報及び映像コンテンツの特定の場面を指定する場面指定情報としての時間情報を受け、上記映像コンテンツ情報データベースから、上記映像コンテンツ識別情報及び上記時間情報に対応した時間区間情報を獲得すると共に、映像コンテンツの特定の場面に関連付けられた付加情報を取得するユーザ入力制御手段と、
上記ユーザ入力制御手段からの上記映像コンテンツの視聴者のユーザ識別情報、上記映像コンテンツ識別情報及び上記時間情報、及び、上記映像コンテンツの特定の場面に関連付けられた付加情報を格納するユーザ情報データベースと、
上記ユーザ入力制御手段からの上記映像コンテンツ識別情報、及び、上記時間情報区間に基づいて、上記ユーザ情報データベースから、上記映像コンテンツ識別情報と同じ映像コンテンツ識別情報に対し上記時間情報区間に含まれる時間情報が関連付けられている別のユーザ識別情報を取得し、映像コンテンツの特定の場面に関連付けられた付加情報を含むユーザ情報を取得するユーザ情報検索手段と、
上記ユーザ情報検索手段からユーザ情報を受け、映像コンテンツの視聴者へ提示するユーザ情報提示手段と
を有する、映像コンテンツ視聴者情報提供装置。
【請求項１７】
映像コンテンツの特定の場面を表す意味的な区切りである映像構造情報を指定する手順と、
上記指定された映像構造情報に対応する時間区間情報を獲得する手順と、
上記特定の場面を指定したユーザのユーザ識別情報、上記映像コンテンツの映像コンテンツ識別情報、上記指定された映像構造情報、及び、上記対応する時間区間情報をユーザ情報データベースに記憶する手順と、
上記ユーザ情報データベースから、上記特定の場面を指定した映像コンテンツと同じ映像コンテンツ識別情報、及び、上記指定した映像構造情報と同じ映像構造情報に対応して記憶されている別のユーザ識別情報をユーザ情報として検索する手順と、
上記検索された別のユーザ識別情報よりも多くの更なる別のユーザ識別情報を取得すべきかどうかを判定する手順と、
更なる別のユーザ識別情報を取得すべき場合に、上記映像コンテンツ識別情報及び上記指定された映像構造情報に対応した時間区間情報に基づいて、上記ユーザ情報データベースから、上記映像コンテンツ識別情報と同じ映像コンテンツ識別情報、及び、上記映像構造情報に対応した時間区間情報よりも広い時間区間情報に関連付けられている更なる別のユーザ識別情報を取得し、ユーザ情報を取得する手順と、
上記取得したユーザ情報をユーザへ提示する手順と、
を有する、映像コンテンツ視聴者情報提供方法。
【請求項１８】
映像コンテンツの特定の場面を表す意味的な区切りである映像構造情報を指定する手順と、
上記指定された映像構造情報に対応する時間区間情報を獲得する手順と、
上記特定の場面を指定したユーザのユーザ識別情報、ユーザから入力された映像コンテンツに対応する付加情報、上記映像コンテンツの映像コンテンツ識別情報、上記指定された映像構造情報、及び、上記対応する時間区間情報をユーザ情報データベースに記憶する手順と、
上記ユーザ情報データベースから、上記特定の場面を指定した映像コンテンツと同じ映像コンテンツ識別情報、上記映像コンテンツに対応する付加情報、及び、上記指定した映像構造情報と同じ映像構造情報に対応して記憶されている別のユーザ識別情報をユーザ情報として検索する手順と、
上記検索された別のユーザ識別情報よりも多くの更なる別のユーザ識別情報を取得すべきかどうかを判定する手順と、
更なる別のユーザ識別情報を取得すべき場合に、上記映像コンテンツ識別情報及び上記指定された映像構造情報に対応した時間区間情報に基づいて、上記ユーザ情報データベースから、上記映像コンテンツ識別情報と同じ映像コンテンツ識別情報、及び、上記映像構造情報に対応した時間区間情報よりも広い時間区間情報に関連付けられている更なる別のユーザ識別情報を取得し、上記映像コンテンツに対応する付加情報を含むユーザ情報を取得する手順と、
上記取得したユーザ情報をユーザへ提示する手順と、
を有する、映像コンテンツ視聴者情報提供方法。
【請求項１９】
映像コンテンツの特定の場面を表す時間情報を指定する手順と、
上記映像コンテンツの特定の場面を表す時間情報から、上記映像コンテンツの意味的な区切りを表す映像構造情報及び対応した時間区間情報を獲得する手順と、
上記特定の場面を指定したユーザのユーザ識別情報、上記映像コンテンツの映像コンテンツ識別情報、及び、上記時間情報をユーザ情報データベースに記憶する手順と、
上記ユーザ情報データベースから、上記映像コンテンツ識別情報と同じ映像コンテンツ識別情報、及び、上記時間情報区間に含まれる時間情報と関連付けて記憶させている別のユーザ識別情報をユーザ情報として検索する手順と、
上記検索された別のユーザ識別情報よりも多くの更なる別のユーザ識別情報を取得すべきかどうかを判定する手順と、
更なる別のユーザ識別情報を取得すべき場合に、上記映像コンテンツ識別情報及び上記時間情報区間に対応した映像構造情報よりも広い更なる時間情報区間に対応した更なる映像構造情報及び上記更なる時間情報区間を取得する手順と、
上記映像コンテンツ識別情報、及び、上記さらなる時間情報区間に基づいて、上記ユーザ情報データベースから、上記映像コンテンツ識別情報と同じ映像コンテンツ識別情報に対し更なる時間情報区間に含まれる時間情報が関連付けられている更なる別のユーザ識別情報を取得し、ユーザ情報を取得する手順と、
上記取得したユーザ情報をユーザへ提示する手順と、
を有する、映像コンテンツ視聴者情報提供方法。
【請求項２０】
映像コンテンツの特定の場面を表す時間情報を指定する手順と、
上記映像コンテンツの特定の場面を表す時間情報から、上記映像コンテンツの意味的な区切りを表す映像構造情報及び対応した時間区間情報を獲得する手順と、
上記特定の場面を指定したユーザのユーザ識別情報、ユーザの映像コンテンツに対応する付加情報、上記映像コンテンツの映像コンテンツ識別情報、及び、上記時間情報をユーザ情報データベースに記憶する手順と、
上記ユーザ情報データベースから、上記映像コンテンツ識別情報と同じ映像コンテンツ識別情報、及び、上記時間情報区間に含まれる時間情報と関連付けて記憶させている別のユーザ識別情報をユーザ情報として検索する手順と、
上記検索された別のユーザ識別情報よりも多くの更なる別のユーザ識別情報を取得すべきかどうかを判定する手順と、
更なる別のユーザ識別情報を取得すべき場合に、上記映像コンテンツ識別情報及び上記時間情報区間に対応した映像構造情報よりも広い更なる時間情報区間に対応した更なる映像構造情報及び上記更なる時間情報区間を取得する手順と、
上記映像コンテンツ識別情報、及び、上記更なる時間情報区間に基づいて、上記ユーザ情報データベースから、上記映像コンテンツ識別情報と同じ映像コンテンツ識別情報に対し更なる時間情報区間に含まれる時間情報が関連付けられている更なる別のユーザ識別情報を取得し、上記映像コンテンツに対応する付加情報を含むユーザ情報を取得する手順と、
上記取得したユーザ情報をユーザへ提示する手順と、
を有する、映像コンテンツ視聴者情報提供方法。
【請求項２１】
映像コンテンツの視聴者のユーザ識別情報、映像コンテンツ識別情報、及び、映像コンテンツの特定の場面を表す意味的な区切りである映像構造情報を受けるユーザ入力制御機能と、
上記映像コンテンツの視聴者のユーザ識別情報、上記映像コンテンツ識別情報、及び、上記映像構造情報をユーザ情報データベースに格納する機能と、
上記映像コンテンツ識別情報、及び、上記映像構造情報に基づいて、上記ユーザ情報データベースから、上記映像コンテンツ識別情報及び上記映像構造情報と同じ映像コンテンツ識別情報及び同じ映像構造情報に関連付けられている別のユーザ識別情報を取得し、ユーザ情報を取得するユーザ情報検索機能と、
上記ユーザ情報検索機能から上記ユーザ情報を受け、映像コンテンツの視聴者へ提示するユーザ情報提示機能と、
をコンピュータに実現させる、映像コンテンツ視聴者情報提供プログラム。
【請求項２２】
映像コンテンツ毎に、その映像コンテンツの映像コンテンツ識別情報、映像コンテンツの意味的な区切りである映像構造情報、及び、映像構造情報に対応した時間的な区間を表す時間区間情報を映像コンテンツ情報データベースに格納する機能と、
映像構造情報に対応した時間区間情報を映像コンテンツ識別情報及び映像構造情報と共に上記ユーザ情報データベースへ格納する機能と、
上記映像構造情報に対応する時間区間情報を上記映像情報データベースから獲得し、上記ユーザ情報データベースへ渡す機能と、
上記ユーザ入力制御機能からの上記映像コンテンツ識別情報及び上記指定された映像構造情報に対応した時間区間情報に基づいて、上記ユーザ情報データベースから、上記映像コンテンツ識別情報と同じ映像コンテンツ識別情報、及び、上記映像構造情報に対応した時間区間情報と類似している時間区間情報に関連付けられている別のユーザ識別情報を取得し、ユーザ情報を取得する機能と、
を更にコンピュータに実現させる、請求項２１記載の映像コンテンツ視聴者情報提供プログラム。
【請求項２３】
映像コンテンツの特定の場面に関連付けられた付加情報を受ける機能と、
上記ユーザ識別情報、上記映像コンテンツ識別情報及び上記映像構造情報と共に、上記ユーザ入力制御機能からの上記付加情報を上記ユーザ情報データベースへ格納する機能と、
上記付加情報を利用して上記ユーザ情報に順序を付ける機能と、
を更にコンピュータに実現させる、請求項２１又は２２記載の映像コンテンツ視聴者情報提供プログラム。
【請求項２４】
上記別のユーザ識別情報を取得する機能と、
上記ユーザ識別情報に対応させて上記ユーザ情報データベースに格納されている映像コンテンツ識別情報及び映像構造情報に対し、上記別のユーザ識別情報に対応させて上記ユーザ情報データベースに格納されている映像コンテンツ識別情報及び映像構造情報の中から、映像コンテンツ識別情報及び映像構造情報が一致した映像コンテンツ及び時間情報を割り当てる機能と、
上記別のユーザ識別情報の中から、上記ユーザ識別情報の映像コンテンツ識別情報及び映像構造情報に割り当てられた度合いに応じて別のユーザ識別情報をユーザ情報として生成する機能と、
を更にコンピュータに実現させる、請求項２１乃至２３のうちいずれか一項記載の映像コンテンツ視聴者情報提供プログラム。
【請求項２５】
映像コンテンツの特定の場面に関連付けられた付加情報を受ける機能と、
上記ユーザ識別情報、上記映像コンテンツ識別情報及び上記映像構造情報と共に、上記ユーザ入力制御機能からの上記付加情報を上記ユーザ情報データベースへ格納する機能と、
上記付加情報を利用して上記ユーザ情報に順序を付ける機能と、
を更にコンピュータに実現させる、請求項２４記載の映像コンテンツ視聴者情報提供プログラム。
【請求項２６】
映像コンテンツの視聴者のユーザ識別情報、映像コンテンツ識別情報、映像コンテンツの特定の場面を表す意味的な区切りである映像構造情報、及び、映像コンテンツの特定の場面に関連付けられた付加情報を受けるユーザ入力制御機能と、
上記映像コンテンツの視聴者のユーザ識別情報、上記映像コンテンツ識別情報、及び、上記映像構造情報、及び、上記映像コンテンツの特定の場面に関連付けられた付加情報をユーザ情報データベースに格納する機能と、
上記映像コンテンツ識別情報、及び、上記映像構造情報に基づいて、上記ユーザ情報データベースから、上記映像コンテンツ識別情報及び上記映像構造情報と同じ映像コンテンツ識別情報及び同じ映像構造情報に関連付けられている別のユーザ識別情報を取得し、付加情報を含むユーザ情報を取得するユーザ情報検索機能と、
上記ユーザ情報検索機能から上記ユーザ情報を受け、映像コンテンツの視聴者へ提示するユーザ情報提示機能と、
をコンピュータに実現させる、映像コンテンツ視聴者情報提供プログラム。
【請求項２７】
映像コンテンツ毎に、その映像コンテンツの映像コンテンツ識別情報、映像コンテンツの意味的な区切りである映像構造情報、及び、映像構造情報に対応した時間的な区間を表す時間区間情報を映像コンテンツ情報データベースに格納すると、
映像コンテンツの視聴者のユーザ識別情報、映像コンテンツ識別情報及び映像コンテンツの特定の場面を指定する場面指定情報としての時間情報を受け、上記映像コンテンツ情報データベースから、上記映像コンテンツ識別情報及び上記時間情報に対応した時間区間情報を獲得するユーザ入力制御機能と、
上記映像コンテンツの視聴者のユーザ識別情報、上記映像コンテンツ識別情報及び上記時間情報をユーザ情報データベースへ格納する機能と、
上記映像コンテンツ識別情報、及び、上記時間情報区間に基づいて、上記ユーザ情報データベースから、上記映像コンテンツ識別情報と同じ映像コンテンツ識別情報に対し上記時間情報区間に含まれる時間情報が関連付けられている別のユーザ識別情報を取得し、ユーザ情報を取得するユーザ情報検索機能と、
上記ユーザ情報検索機能からユーザ情報を受け、映像コンテンツの視聴者へ提示するユーザ情報提示機能と
をコンピュータに実現させる、映像コンテンツ視聴者情報提供プログラム。
【請求項２８】
上記映像コンテンツ識別情報、及び、上記時間情報区間の他に上記時間情報区間に対応した映像構造情報を受け取る機能と、
上記映像コンテンツ情報データベースから、上記ユーザ入力制御機能より受け取った映像構造情報に対応した時間情報区間よりも広い更なる時間情報区間に対応した更なる映像構造情報及び上記更なる時間情報区間を取得する機能と、
上記映像コンテンツ識別情報、及び、上記更なる時間情報区間に基づいて、上記ユーザ情報データベースから、上記映像コンテンツ識別情報と同じ映像コンテンツ識別情報に対し上記更なる時間情報区間に含まれる時間情報が関連付けられている別のユーザ識別情報を取得し、ユーザ情報を生成する機能と、
を更にコンピュータに実現させる、請求項２７記載の映像コンテンツ視聴者情報提供プログラム。
【請求項２９】
映像コンテンツの特定の場面に関連付けられた付加情報を受ける機能と、
上記ユーザ識別情報、上記映像コンテンツ識別情報及び上記時間情報と共に、上記ユーザ入力制御機能からの上記付加情報を上記ユーザ情報データベースへ格納する機能と、
上記付加情報を利用して上記ユーザ情報に順序を付ける機能と、
を更にコンピュータに実現させる、請求項２７又は２８記載の映像コンテンツ視聴者情報提供プログラム。
【請求項３０】
上記別のユーザ識別情報を取得する機能と、
上記ユーザ識別情報に対応させて上記ユーザ情報データベースに格納されている映像コンテンツ識別情報及び時間情報に対応した時間情報区間を取得する機能と、
上記ユーザ識別情報に対応した映像コンテンツ識別情報及び時間情報区間に対し、上記ユーザ情報データベースから、上記映像コンテンツ識別情報と同じ映像コンテンツ識別情報に対し上記時間情報区間に含まれる時間情報が関連付けられている別のユーザ識別情報を割り当てる機能と、
上記別のユーザ識別情報の中から、上記ユーザ識別情報の映像コンテンツ識別情報及び時間情報区間に割り当てられた度合いに応じて別のユーザ識別情報をユーザ情報として生成する機能と、
を更にコンピュータに実現させる、請求項２７乃至２９のうちいずれか一項記載の映像コンテンツ視聴者情報提供プログラム。
【請求項３１】
映像コンテンツの特定の場面に関連付けられた付加情報を受ける機能と、
上記ユーザ識別情報、上記映像コンテンツ識別情報及び上記時間情報と共に、上記ユーザ入力制御機能からの上記付加情報を上記ユーザ情報データベースへ格納する機能と、
上記付加情報を利用して上記ユーザ情報に順序を付ける機能と、
を更にコンピュータに実現させる、請求項２７乃至３０のうちいずれか一項記載の映像コンテンツ視聴者情報提供プログラム。
【請求項３２】
映像コンテンツ毎に、その映像コンテンツの映像コンテンツ識別情報、映像コンテンツの意味的な区切りである映像構造情報、及び、映像構造情報に対応した時間的な区間を表す時間区間情報を映像コンテンツ情報データベースに格納すると、
映像コンテンツの視聴者のユーザ識別情報、映像コンテンツ識別情報及び映像コンテンツの特定の場面を指定する場面指定情報としての時間情報を受け、上記映像コンテンツ情報データベースから、上記映像コンテンツ識別情報及び上記時間情報に対応した時間区間情報を獲得すると共に、映像コンテンツの特定の場面に関連付けられた付加情報を取得するユーザ入力制御機能と、
上記映像コンテンツの視聴者のユーザ識別情報、上記映像コンテンツ識別情報及び上記時間情報、及び、上記映像コンテンツの特定の場面に関連付けられた付加情報をユーザ情報データベースへ格納する機能と、
上記映像コンテンツ識別情報、及び、上記時間情報区間に基づいて、上記ユーザ情報データベースから、上記映像コンテンツ識別情報と同じ映像コンテンツ識別情報に対し上記時間情報区間に含まれる時間情報が関連付けられている別のユーザ識別情報を取得し、付加情報を含むユーザ情報を取得するユーザ情報検索機能と、
上記ユーザ情報検索機能からユーザ情報を受け、映像コンテンツの視聴者へ提示するユーザ情報提示機能と
をコンピュータに実現させる、映像コンテンツ視聴者情報提供プログラム。
【請求項３３】
請求項２１乃至３２に記載された映像コンテンツ視聴者情報提供プログラムを記録した記録媒体。
【手続補正２】
【補正対象書類名】明細書
【補正対象項目名】００１４
【補正方法】変更
【補正の内容】
【００１４】
【課題を解決するための手段】
図１は、本発明の原理構成図である。図１に示されるように、請求項１に係る発明による映像コンテンツ視聴者情報提供システムは、
映像コンテンツ毎に、該映像コンテンツの映像コンテンツ識別情報と映像構造情報を格納する映像コンテンツ情報データベース２２と、
ユーザ識別情報、映像コンテンツ識別情報及び、映像構造情報を格納するユーザ情報データベース２３と、
映像コンテンツの場面を特定する場面情報として物理的、あるいは、意味的な区切りである映像構造情報を指定する場面指定手段１２と、
上記場面指定手段１２からの指定に基づいて、映像コンテンツの視聴者のユーザ識別情報、映像コンテンツ識別情報及び指定された映像構造情報を上記映像コンテンツ情報データベース２２から取得し、上記ユーザ情報データベース２３に格納するユーザ入力制御手段２１と、
上記ユーザ入力制御手段２１からの上記映像コンテンツ識別情報、及び、上記指定された映像情報に基づいて、上記ユーザ情報データベース２３から、上記映像コンテンツ識別情報及び上記映像構造情報と同じ映像コンテンツ識別情報及び同じ映像構造情報に関連付けられている別のユーザ識別情報を取得し、上記ユーザ情報データベース２３から該別のユーザ識別情報に対応するユーザ情報を取得するユーザ情報検索手段２４と、
上記ユーザ情報検索手段２４から上記ユーザ情報を受け、映像コンテンツの視聴者へ提示するユーザ情報提示手段１３と、を有する。
請求項２に係る発明による映像コンテンツ視聴者情報提供システムは、
映像コンテンツ毎に、該映像コンテンツの映像コンテンツ識別情報と映像構造情報を格納する映像コンテンツ情報データベースと、
ユーザ識別情報、映像コンテンツの特定の場面に関連付けられた付加情報、映像コンテンツ識別情報及び、映像構造情報を格納するユーザ情報データベースと、
映像コンテンツの場面を特定する場面情報として物理的、あるいは、意味的な区切りである映像構造情報を指定する場面指定手段と、
上記場面指定手段からの指定に基づいて、映像コンテンツの視聴者のユーザ識別情報、映像コンテンツ識別情報及び指定された映像構造情報を上記映像コンテンツ情報データベースから取得し、また、映像コンテンツの特定の場面に対する付加情報をユーザから取得して、上記ユーザ情報データベースに格納するユーザ入力制御手段と、
上記ユーザ入力制御手段からの上記映像コンテンツ識別情報、及び、上記指定された映像情報に基づいて、上記ユーザ情報データベースから、上記映像コンテンツ識別情報、及び上記映像構造情報と同じ映像コンテンツ識別情報及び同じ映像構造情報に関連付けられている別のユーザ識別情報を取得し、上記ユーザ情報データベースから該別のユーザ識別情報に対応する上記映像コンテンツの特定の場面に対する付加情報を含むユーザ情報を取得するユーザ情報検索手段と、
上記ユーザ情報検索手段から上記ユーザ情報を受け、映像コンテンツの視聴者へ提示するユーザ情報提示手段と、を有する。
【手続補正３】
【補正対象書類名】明細書
【補正対象項目名】００１６
【補正方法】変更
【補正の内容】
【００１６】
図２は本発明の映像コンテンツ視聴者情報提供システムの構成図である。図２に示されるように、請求項３に係る発明による映像コンテンツ視聴者情報提供システムは、
映像コンテンツの視聴者のユーザ識別情報、映像コンテンツ識別情報及び時間情報を格納するユーザ情報データベース２３と、
映像コンテンツの場面を特定する場面指定情報として時間情報を指定する場面指定手段１２と、
映像コンテンツ毎に、その映像コンテンツの映像コンテンツ識別情報、映像コンテンツの意味的な区切りである映像構造情報、及び、映像構造情報に対応した時間的な区間を表す時間区間情報を格納する映像コンテンツ情報データベース２２と、
上記場面指定手段１２から、映像コンテンツの視聴者のユーザ識別情報、映像コンテンツ識別情報及び指定された時間情報を受け、上記映像コンテンツ情報データベース２２から、上記映像コンテンツ識別情報及び上記指定された時間情報に対応した時間区間情報を獲得し、上記映像コンテンツの視聴者のユーザ識別情報、上記映像コンテンツ識別情報及び上記指定された時間情報を上記ユーザ情報データベース２１に格納するユーザ入力制御手段２１と、
上記ユーザ入力制御手段２１からの上記映像コンテンツ識別情報、及び、上記時間情報区間に基づいて、上記ユーザ情報データベース２３から、上記映像コンテンツ識別情報と同じ映像識別情報に対し上記時間情報区間に含まれる時間情報が関連付けられている別のユーザ識別情報を取得し、該別のユーザ識別情報に基づいて該ユーザ情報データベースからユーザ情報を取得するユーザ情報検索手段２４と、
上記ユーザ情報検索手段２４から上記ユーザ情報を受け、映像コンテンツの視聴者へ提示するユーザ情報提示手段１３と、を有する。
請求項４に係る発明による映像コンテンツ視聴者情報提供システムは、
映像コンテンツの特定の場面に対する付加情報、映像コンテンツの視聴者のユーザ識別情報、映像コンテンツ識別情報及び時間情報を格納するユーザ情報データベースと、
映像コンテンツの場面を特定する場面指定情報として時間情報を指定する場面指定手段と、
映像コンテンツ毎に、その映像コンテンツの映像コンテンツ識別情報、映像コンテンツの意味的な区切りである映像構造情報、及び、映像構造情報に対応した時間的な区間を表す時間区間情報を格納する映像コンテンツ情報データベースと、
上記場面指定手段から、映像コンテンツの視聴者のユーザ識別情報、映像コンテンツ識別情報及び指定された時間情報を受け、上記映像コンテンツ情報データベースから、上記映像コンテンツ識別情報及び上記指定された時間情報に対応した時間区間情報を獲得し、また、ユーザから映像コンテンツの特定の場面に対する付加情報を取得し、該付加情報、上記映像コンテンツの視聴者のユーザ識別情報、上記映像コンテンツ識別情報及び上記指定された時間情報をユーザ情報データベースに格納するユーザ入力制御手段と、
上記ユーザ入力制御手段からの上記映像コンテンツ識別情報、及び、上記時間情報区間に基づいて、上記ユーザ情報データベースから、上記映像コンテンツ識別情報と同じ映像識別情報に対し上記時間情報区間に含まれる時間情報が関連付けられている別のユーザ識別情報を取得し、該別のユーザ識別情報に基づいて該ユーザ情報データベースから上記映像コンテンツの特定の場面に対する付加情報を含むユーザ情報を取得するユーザ情報検索手段と、
上記ユーザ情報検索手段から上記ユーザ情報を受け、映像コンテンツの視聴者へ提示するユーザ情報提示手段と、を有する。
【手続補正４】
【補正対象書類名】明細書
【補正対象項目名】００１８
【補正方法】変更
【補正の内容】
【００１８】
図３は、本発明によるユーザ情報検索手段の構成図である。請求項５に係る発明による映像コンテンツの視聴者へ提供する映像コンテンツ視聴者情報提供装置２は、
映像コンテンツの視聴者のユーザ識別情報、映像コンテンツ識別情報、及び、映像コンテンツの特定の場面を現す意味的な区切りである映像構造情報を受けるユーザ入力制御手段２１と、
上記ユーザ入力制御手段２１からの上記映像コンテンツの視聴者のユーザ識別情報、上記映像コンテンツ識別情報、及び、上記映像構造情報を格納するユーザ情報データベース２３と、
上記ユーザ入力制御手段２１からの上記映像コンテンツ識別情報、及び、上記映像構造情報に基づいて、上記ユーザ情報データベース２３から、上記映像コンテンツ識別情報及び上記映像構造情報と同じ映像コンテンツ識別情報及び同じ映像構造情報に関連付けられている別のユーザ識別情報を取得し、ユーザ情報を取得するユーザ情報検索手段２４と、
上記ユーザ情報検索手段からユーザ情報を受け、映像コンテンツの視聴者へ提示するユーザ情報提示手段と、
を有する。
【手続補正５】
【補正対象書類名】明細書
【補正対象項目名】００１９
【補正方法】変更
【補正の内容】
【００１９】
請求項６に係る発明によれば、上記映像コンテンツ視聴者情報提供装置は、
映像コンテンツ毎に、その映像コンテンツの映像コンテンツ識別情報、映像コンテンツの意味的な区切りである映像構造情報、及び、映像構造情報に対応した時間的な区間を表す時間区間情報を格納する映像コンテンツ情報データベース２２を更に有し、
上記ユーザ情報データベース２３は、映像構造情報に対応した時間区間情報を映像コンテンツ識別情報及び映像構造情報と共に格納し、
上記ユーザ入力制御手段２１は、上記映像構造情報に対応する時間区間情報を上記映像情報データベース２２から獲得し、上記ユーザ情報データベース２３へ渡し、
上記ユーザ情報検索手段２４は、上記ユーザ入力制御手段２１からの上記映像コンテンツ識別情報及び上記指定された映像構造情報に対応した時間区間情報に基づいて、上記ユーザ情報データベースから、上記映像コンテンツ識別情報と同じ映像コンテンツ識別情報、及び、上記映像構造情報に対応した時間区間情報と類似している時間区間情報に関連付けられている別のユーザ識別情報を取得し、ユーザ情報を生成する。
【手続補正６】
【補正対象書類名】明細書
【補正対象項目名】００２１
【補正方法】変更
【補正の内容】
【００２１】
請求項７に係る発明によれば、上記ユーザ入力制御手段２１は、映像コンテンツの特定の場面に関連付けられた付加情報を受け、
上記ユーザ情報データベース２３は、上記ユーザ識別情報、上記映像コンテンツ識別情報及び上記映像構造情報と共に、上記ユーザ入力制御手段からの上記付加情報を格納し、
上記ユーザ情報検索手段２４は、上記付加情報を利用して上記ユーザ情報に順序を付ける。
【手続補正７】
【補正対象書類名】明細書
【補正対象項目名】００２３
【補正方法】変更
【補正の内容】
【００２３】
請求項８に係る発明による映像コンテンツ視聴者情報提供装置によれば、
上記ユーザ情報検索手段２４は、
上記別のユーザ識別情報を取得する手段と、
上記ユーザ入力制御手段２１からの上記ユーザ識別情報に対応させて上記ユーザ情報データベース２３に格納されている映像コンテンツ識別情報及び映像構造情報に対し、上記別のユーザ識別情報に対応させて上記ユーザ情報データベース２３に格納されている映像コンテンツ識別情報及び映像構造情報の中から、映像コンテンツ識別情報及び映像構造情報が一致した映像コンテンツ及び時間情報を割り当てる手段と、
上記別のユーザ識別情報の中から、上記ユーザ識別情報の映像コンテンツ識別情報及び映像構造情報に割り当てられた度合いに応じて別のユーザ識別情報をユーザ情報として取得する手段と、
により構成される。
【手続補正８】
【補正対象書類名】明細書
【補正対象項目名】００２５
【補正方法】変更
【補正の内容】
【００２５】
更に、請求項９に係る発明によれば、上記ユーザ入力制御手段２１は、映像コンテンツの特定の場面に関連付けられた付加情報を受け、
上記ユーザ情報データベース２３は、上記ユーザ識別情報、上記映像コンテンツ識別情報及び上記映像構造情報と共に、上記ユーザ入力制御手段２１からの上記付加情報を格納し、
上記ユーザ情報検索手段２４は、上記付加情報を利用して上記ユーザ情報に順序を付ける。
請求項１０に係る発明によれば、映像コンテンツ視聴者情報提供装置２は、
映像コンテンツの視聴者のユーザ識別情報、映像コンテンツ識別情報、映像コンテンツの特定の場面を現す意味的な区切りである映像構造情報、及び、映像コンテンツの特定の場面の付加情報を受けるユーザ、入力制御手段と、
上記ユーザ入力制御手段からの上記映像コンテンツの視聴者のユーザ識別情報、上記映像コンテンツ識別情報、及び、上記映像構造情報と上記映像コンテンツの特定の場面の付加情報を格納するユーザ情報データベースと、
上記ユーザ入力制御手段からの上記映像コンテンツ識別情報、及び、上記映像構造情報に基づいて、上記ユーザ情報データベースから、上記映像コンテンツ識別情報及び上記映像構造情報と同じ映像コンテンツ識別情報及び同じ映像構造情報に関連付けられている別のユーザ識別情報を取得し、映像コンテンツの特定の場面の付加情報を含むユーザ情報を取得するユーザ情報検索手段と、
上記ユーザ情報検索手段からユーザ情報を受け、映像コンテンツの視聴者へ提示するユーザ情報提示手段と、
を有する。
【手続補正９】
【補正対象書類名】明細書
【補正対象項目名】００２７
【補正方法】変更
【補正の内容】
【００２７】
請求項１１に係る発明によれば、映像コンテンツ視聴者情報提供装置２は、
映像コンテンツ毎に、その映像コンテンツの映像コンテンツ識別情報、映像コンテンツの意味的な区切りである映像構造情報、及び、映像構造情報に対応した時間的な区間を表す時間区間情報を格納する映像コンテンツ情報データベース２２と、
映像コンテンツの視聴者のユーザ識別情報、映像コンテンツ識別情報及び映像コンテンツの特定の場面を指定する場面指定情報としての時間情報を受け、上記映像コンテンツ情報データベース２２から、上記映像コンテンツ識別情報及び上記時間情報に対応した時間区間情報を獲得するユーザ入力制御手段２１と、
上記ユーザ入力制御手段２１からの上記映像コンテンツの視聴者のユーザ識別情報、上記映像コンテンツ識別情報及び上記時間情報を格納するユーザ情報データベース２３と、
上記ユーザ入力制御手段２１からの上記映像コンテンツ識別情報、及び、上記時間情報区間に基づいて、上記ユーザ情報データベース２３から、上記映像コンテンツ識別情報と同じ映像コンテンツ識別情報に対し上記時間情報区間に含まれる時間情報が関連付けられている別のユーザ識別情報を取得し、ユーザ情報を取得するユーザ情報検索手段２４と、
上記ユーザ情報検索手段２４からユーザ情報を受け、映像コンテンツの視聴者へ提示するユーザ情報提示手段と
を有する。
【手続補正１０】
【補正対象書類名】明細書
【補正対象項目名】００２９
【補正方法】変更
【補正の内容】
【００２９】
請求項１２に係る発明によれば、図４に示されるように、
上記ユーザ情報検索手段２４は、
上記ユーザ入力制御手段２１から、上記映像コンテンツ識別情報、及び、上記時間情報区間の他に上記時間情報区間に対応した映像構造情報を受け取る手段２４１と、
上記映像コンテンツ情報データベース２３から、上記ユーザ入力制御手段２１から受け取った映像構造情報に対応した時間情報区間よりも広い更なる時間情報区間に対応した更なる映像構造情報及び上記更なる時間情報区間を取得する手段２４２と、
上記ユーザ入力制御手段からの上記映像コンテンツ識別情報、及び、上記更なる時間情報区間に基づいて、上記ユーザ情報データベース２３から、上記映像コンテンツ識別情報と同じ映像コンテンツ識別情報に対し上記更なる時間情報区間に含まれる時間情報が関連付けられている別のユーザ識別情報を取得し、ユーザ情報を取得する手段２４３と、
を含む。
【手続補正１１】
【補正対象書類名】明細書
【補正対象項目名】００３０
【補正方法】変更
【補正の内容】
【００３０】
請求項１３に係る発明によれば、上記ユーザ入力制御手段２１は、映像コンテンツの特定の場面に関連付けられた付加情報を受け、
上記ユーザ情報データベース２３は、上記ユーザ識別情報、上記映像コンテンツ識別情報及び上記時間情報と共に、上記ユーザ入力制御手段２１からの上記付加情報を格納し、
上記ユーザ情報検索手段２４は、上記付加情報を利用して上記ユーザ情報に順序を付ける。
【手続補正１２】
【補正対象書類名】明細書
【補正対象項目名】００３２
【補正方法】変更
【補正の内容】
【００３２】
請求項１４に係る発明による映像コンテンツ視聴者情報提供装置２によれば、図５に示されるように、
上記ユーザ情報検索手段２４は、
上記別のユーザ識別情報を取得する手段２４４と、
上記ユーザ入力制御手段２１からの上記ユーザ識別情報に対応させて上記ユーザ情報データベース２３に格納されている映像コンテンツ識別情報及び時間情報に対応した時間情報区間を取得する手段２４５と、
上記ユーザ識別情報に対応した映像コンテンツ識別情報及び時間情報区間に対し、上記ユーザ情報データベース２３から、上記映像コンテンツ識別情報と同じ映像コンテンツ識別情報に対し上記時間情報区間に含まれる時間情報が関連付けられている別のユーザ識別情報を割り当てる手段２４６と、
上記別のユーザ識別情報の中から、上記ユーザ識別情報の映像コンテンツ識別情報及び時間情報区間に割り当てられた度合いに応じて別のユーザ識別情報をユーザ情報として取得する手段２４７と、
により構成される。
【手続補正１３】
【補正対象書類名】明細書
【補正対象項目名】００３４
【補正方法】変更
【補正の内容】
【００３４】
更に、請求項１５に係る発明によれば、上記ユーザ入力制御手段２１は、映像コンテンツの特定の場面に関連付けられた付加情報を受け、
上記ユーザ情報データベース２３は、上記ユーザ識別情報、上記映像コンテンツ識別情報及び上記時間情報と共に、上記ユーザ入力制御手段２１からの上記付加情報を格納し、
上記ユーザ情報検索手段２４は、上記付加情報を利用して上記ユーザ情報に順序を付ける。
請求項１６に係る発明による映像コンテンツ視聴者情報提供装置２によれば、
映像コンテンツ毎に、その映像コンテンツの映像コンテンツ識別情報、映像コンテンツの意味的な区切りである映像構造情報、及び、映像構造情報に対応した時間的な区間を表す時間区間情報を格納する映像コンテンツ情報データベースと、
映像コンテンツの視聴者のユーザ識別情報、映像コンテンツ識別情報及び映像コンテンツの特定の場面を指定する場面指定情報としての時間情報を受け、上記映像コンテンツ情報データベースから、上記映像コンテンツ識別情報及び上記時間情報に対応した時間区間情報を獲得すると共に、映像コンテンツの特定の場面に関連付けられた付加情報を取得するユーザ入力制御手段と、
上記ユーザ入力制御手段からの上記映像コンテンツの視聴者のユーザ識別情報、上記映像コンテンツ識別情報及び上記時間情報、及び、上記映像コンテンツの特定の場面に関連付けられた付加情報を格納するユーザ情報データベースと、
上記ユーザ入力制御手段からの上記映像コンテンツ識別情報、及び、上記時間情報区間に基づいて、上記ユーザ情報データベースから、上記映像コンテンツ識別情報と同じ映像コンテンツ識別情報に対し上記時間情報区間に含まれる時間情報が関連付けられている別のユーザ識別情報を取得し、映像コンテンツの特定の場面に関連付けられた付加情報を含むユーザ情報を取得するユーザ情報検索手段と、
上記ユーザ情報検索手段からユーザ情報を受け、映像コンテンツの視聴者へ提示するユーザ情報提示手段と
を有する。
【手続補正１４】
【補正対象書類名】明細書
【補正対象項目名】００３６
【補正方法】変更
【補正の内容】
【００３６】
図６は、本発明による第１の映像コンテンツ視聴者情報提供方法の説明図である。請求項１７に係る発明は、映像コンテンツ視聴者情報を提供する方法であって、
映像コンテンツの特定の場面を表す意味的な区切りである映像構造情報を指定する手順（ステップ２）と、
上記指定された映像構造情報に対応する時間区間情報を獲得する手順（ステップ３）と、
上記特定の場面を指定したユーザのユーザ識別情報、上記映像コンテンツの映像コンテンツ識別情報、上記指定された映像構造情報、及び、上記対応する時間区間情報をユーザ情報データベースに記憶する手順（ステップ４）と、
上記ユーザ情報データベースから、上記特定の場面を指定した映像コンテンツと同じ映像コンテンツ識別情報、及び、上記指定した映像構造情報と同じ映像構造情報に対応して記憶されている別のユーザ識別情報をユーザ情報として検索する手順（ステップ５）と、
上記検索された別のユーザ識別情報よりも多くの更なる別のユーザ識別情報を取得すべきかどうかを判定する手順（ステップ６）と、
更なる別のユーザ識別情報を取得すべき場合に、上記映像コンテンツ識別情報及び上記指定された映像構造情報に対応した時間区間情報に基づいて、上記ユーザ情報データベースから、上記映像コンテンツ識別情報と同じ映像コンテンツ識別情報、及び、上記映像構造情報に対応した時間区間情報よりも広い時間区間情報に関連付けられている更なる別のユーザ識別情報を取得し、ユーザ情報を取得する手順（ステップ７）と、
上記取得したユーザ情報をユーザへ提示する手順（ステップ８）と、
を有する。
請求項１８に係る発明は、映像コンテンツの視聴者情報を提供する支援方法であって、
映像コンテンツの特定の場面を表す意味的な区切りである映像構造情報を指定する手順と、
上記指定された映像構造情報に対応する時間区間情報を獲得する手順と、
上記特定の場面を指定したユーザのユーザ識別情報、ユーザから入力された映像コンテンツに対応する付加情報、上記映像コンテンツの映像コンテンツ識別情報、上記指定された映像構造情報、及び、上記対応する時間区間情報をユーザ情報データベースに記憶する手順と、
上記ユーザ情報データベースから、上記特定の場面を指定した映像コンテンツと同じ映像コンテンツ識別情報、上記映像コンテンツに対応する付加情報、及び、上記指定した映像構造情報と同じ映像構造情報に対応して記憶されている別のユーザ識別情報をユーザ情報として検索する手順と、
上記検索された別のユーザ識別情報よりも多くの更なる別のユーザ識別情報を取得すべきかどうかを判定する手順と、
更なる別のユーザ識別情報を取得すべき場合に、上記映像コンテンツ識別情報及び上記指定された映像構造情報に対応した時間区間情報に基づいて、上記ユーザ情報データベースから、上記映像コンテンツ識別情報と同じ映像コンテンツ識別情報、及び、上記映像構造情報に対応した時間区間情報よりも広い時間区間情報に関連付けられている更なる別のユーザ識別情報を取得し、上記映像コンテンツに対応する付加情報を含むユーザ情報を取得する手順と、
上記取得したユーザ情報をユーザへ提示する手順と、
を有する。
【手続補正１５】
【補正対象書類名】明細書
【補正対象項目名】００３７
【補正方法】変更
【補正の内容】
【００３７】
図７は、本発明による第２の映像コンテンツ視聴者情報提供方法の説明図である。請求項１９に係る発明は、映像コンテンツの視聴者情報を提供する支援方法であって、
映像コンテンツの特定の場面を表す時間情報を指定する手順（ステップ１２）と、
上記映像コンテンツの特定の場面を表す時間情報から、上記映像コンテンツの意味的な区切りを表す映像構造情報及び対応した時間区間情報を獲得する手順（ステップ１３）と、
上記特定の場面を指定したユーザのユーザ識別情報、上記映像コンテンツの映像コンテンツ識別情報、及び、上記時間情報をユーザ情報データベースに記憶する手順（ステップ１４）と、
上記ユーザ情報データベースから、上記映像コンテンツ識別情報と同じ映像コンテンツ識別情報、及び、上記時間情報区間に含まれる時間情報と関連付けて記憶させている別のユーザ識別情報をユーザ情報として検索する手順（ステップ１５）と、
上記検索された別のユーザ識別情報よりも多くの更なる別のユーザ識別情報を取得すべきかどうかを判定する手順（ステップ１６）と、
更なる別のユーザ識別情報を取得すべき場合に、上記映像コンテンツ識別情報及び上記時間情報区間に対応した映像構造情報よりも広い更なる時間情報区間に対応した更なる映像構造情報及び上記更なる時間情報区間を取得する手順（ステップ１７）と、
上記映像コンテンツ識別情報、及び、上記さらなる時間情報区間に基づいて、上記ユーザ情報データベースから、上記映像コンテンツ識別情報と同じ映像コンテンツ識別情報に対し更なる時間情報区間に含まれる時間情報が関連付けられている更なる別のユーザ識別情報を取得し、ユーザ情報を取得する手順（ステップ１８）と、
上記取得したユーザ情報をユーザへ提示する手順と、
を有する。
請求項２０に係る発明は、映像コンテンツの視聴者情報を提供する支援方法であって、
映像コンテンツの特定の場面を表す時間情報を指定する手順と、
上記映像コンテンツの特定の場面を表す時間情報から、上記映像コンテンツの意味的な区切りを表す映像構造情報及び対応した時間区間情報を獲得する手順と、
上記特定の場面を指定したユーザのユーザ識別情報、ユーザの映像コンテンツに対応する付加情報、上記映像コンテンツの映像コンテンツ識別情報、及び、上記時間情報をユーザ情報データベースに記憶する手順と、
上記ユーザ情報データベースから、上記映像コンテンツ識別情報と同じ映像コンテンツ識別情報、及び、上記時間情報区間に含まれる時間情報と関連付けて記憶させている別のユーザ識別情報をユーザ情報として検索する手順と、
上記検索された別のユーザ識別情報よりも多くの更なる別のユーザ識別情報を取得すべきかどうかを判定する手順と、
更なる別のユーザ識別情報を取得すべき場合に、上記映像コンテンツ識別情報及び上記時間情報区間に対応した映像構造情報よりも広い更なる時間情報区間に対応した更なる映像構造情報及び上記更なる時間情報区間を取得する手順と、
上記映像コンテンツ識別情報、及び、上記更なる時間情報区間に基づいて、上記ユーザ情報データベースから、上記映像コンテンツ識別情報と同じ映像コンテンツ識別情報に対し更なる時間情報区間に含まれる時間情報が関連付けられている更なる別のユーザ識別情報を取得し、上記映像コンテンツに対応する付加情報を含むユーザ情報を取得する手順と、
上記取得したユーザ情報をユーザへ提示する手順と、
を有する。
【手続補正１６】
【補正対象書類名】明細書
【補正対象項目名】００３８
【補正方法】変更
【補正の内容】
【００３８】
さらに、請求項２１乃至３２に係る発明は、請求項５乃至１６に記載された映像子視聴者情報提供装置をコンピュータに実現させるプログラムである。また、請求項３３に係る発明は、請求項２１乃至３２に記載されたプログラムを記録する記録媒体の発明である。
【手続補正１７】
【補正対象書類名】明細書
【補正対象項目名】図面の簡単な説明
【補正方法】変更
【補正の内容】
【図面の簡単な説明】
【図１】
本発明の原理構成図である。
【図２】
本発明の映像コンテンツ視聴者情報提供システムの構成図である。
【図３】
本発明によるユーザ情報検索手段の構成図である。
【図４】
本発明によるユーザ情報検索手段の構成図である。
【図５】
本発明によるユーザ情報検索手段の構成図である。
【図６】
本発明による第１の映像コンテンツ視聴者情報提供方法の説明図である。
【図７】
本発明による第２の映像コンテンツ視聴者情報提供方法の説明図である。
【図８】
本発明の第１の実施例によるシステム構成図である。
【図９】
本発明の第１の実施例による映像コンテンツ解析部の出力情報の説明図である。
【図１０】
本発明の第１の実施例による映像コンテンツ情報ＤＢの説明図である。
【図１１】
本発明の第１の実施例によるユーザ情報ＤＢの説明図である。
【図１２】
本発明の第１の実施例によるシステムのシーケンスチャートである。
【図１３】
本発明の第１の実施例による映像再生画面の説明図である。
【図１４】
本発明の第１の実施例による類似ユーザ情報検索処理のフローチャートである。
【図１５】
本発明の第１の実施例による時間区間の自動調節処理のフローチャートである。
【図１６】
本発明の第１の実施例による時間区間の手動調節処理のフローチャートである。
【図１７】
本発明の第２の実施例によるシステム構成図である。
【図１８】
本発明の第２の実施例によるシステムのシーケンスチャートである。
【図１９】
本発明の第３の実施例によるシステム構成図である。
【図２０】
本発明の第４の実施例によるシステムのシーケンスチャートである。
【図２１】
本発明の第４の実施例によるシーン一覧表の説明図である。
【図２２】
本発明の第４の実施例による類似ユーザ情報検索処理のフローチャートである。
【図２３】
本発明の第５の実施例による一致度の計算方法の説明図である。
【図２４】
本発明の第６の実施例による一致度の計算方法の説明図である。
【図２５】
本発明の第６の実施例による類似度計算処理のフローチャートである。
【図２６】
本発明の第７の実施例によるシステム構成図である。
【図２７】
本発明の第７の実施例によるユーザ情報ＤＢの説明図である。
【図２８】
本発明の第７の実施例による映像コンテンツ情報ＤＢの説明図である。
【図２９】
本発明の第７の実施例によるシステムのシーケンスチャートである。
【図３０】
本発明の第７の実施例による類似ユーザ情報検索処理のフローチャートである。
【図３１】
本発明の第８の実施例によるシステム構成図である。
【図３２】
本発明の第９の実施例によるシステム構成図である。
【図３３】
本発明の第１０の実施例によるシステムのシーケンスチャートである。
【符号の説明】
１    クライアント装置
２    サーバ装置
１２    場面指定手段
１３    ユーザ情報提示手段
２１    ユーザ入力制御手段
２３    ユーザ情報データベース
２４    ユーザ情報検索手段
【手続補正１８】
【補正対象書類名】図面
【補正対象項目名】図１
【補正方法】変更
【補正の内容】
【図１】
2003076699.tif 000001
【手続補正１９】
【補正対象書類名】図面
【補正対象項目名】図２
【補正方法】変更
【補正の内容】
【図２】
2003076699.tif 000002
【手続補正２０】
【補正対象書類名】図面
【補正対象項目名】図３
【補正方法】変更
【補正の内容】
【図３】
2003076699.tif 000003
【手続補正２１】
【補正対象書類名】図面
【補正対象項目名】図４
【補正方法】変更
【補正の内容】
【図４】
2003076699.tif 000004
【手続補正２２】
【補正対象書類名】図面
【補正対象項目名】図５
【補正方法】変更
【補正の内容】
【図５】
2003076699.tif 000005
【手続補正２３】
【補正対象書類名】図面
【補正対象項目名】図６
【補正方法】変更
【補正の内容】
【図６】
2003076699.tif 000006
【手続補正２４】
【補正対象書類名】図面
【補正対象項目名】図７
【補正方法】変更
【補正の内容】
【図７】
2003076699.tif 000007